(57)【特許請求の範囲】
【請求項１】
アンモニア吸収式冷凍機におけるアンモニアを蒸留する精留塔の容器本体の下部に、アンモニア水溶液からアンモニアを分離するための気液分離用空間を形成するとともに、その底部に、所定高さの仕切壁を設けて、第１貯溜室と第２貯溜室とを形成し、上記第１貯溜室内のアンモニア水溶液を取出用配管を介して導き加熱する加熱装置を設け、この加熱装置で加熱された加熱アンモニア水溶液を上記容器本体内の第２貯溜室の上方部の気液分離用空間に供給するための供給用配管を設け、かつ上記容器本体内に、上記供給用配管を介して気液分離用空間内に供給された加熱アンモニア水溶液を下方の第２貯溜室内に導くためのバッフル板を設け、上記第２貯溜室内のアンモニア水溶液を吸収器に移送する移送用配管を設けたことを特徴とするアンモニア吸収式冷凍機における再生部構造。
【請求項２】
仕切壁に、第１貯溜室内と第２貯溜室内とを連通する連通穴を形成したことを特徴とする請求項１記載のアンモニア吸収式冷凍機における再生部構造。
【請求項３】
仕切壁とバッフル板とを一体化させたことを特徴とする請求項１または２記載のアンモニア吸収式冷凍機における再生部構造。
【発明の詳細な説明】
【０００１】
【発明の属する技術分野】
本発明は、アンモニア吸収式冷凍機における再生部構造に関するものである。
【０００２】
【従来の技術】
アンモニア吸収式冷凍機における再生部は、図６に示すように、精留塔５１の下部に再生器としての加熱用容器部５２が設けられるとともにこの加熱用容器部５２内に、燃焼空間部５３およびこの燃焼空間部５３内で燃焼した燃焼ガスを導き加熱用容器部５２内のアンモニア水溶液を加熱する複数のガス通路部５４が設けられた構成とされ、このガス通路部５４を通過する燃焼ガスにより、加熱用容器部５２内に溜った濃度の高い濃アンモニア水溶液が加熱されてアンモニアが蒸発分離されていた。
【０００３】
なお、このアンモニアが分離された後の濃度の低い稀アンモニア水溶液は、加熱用容器部５２の底部から取り出されて、吸収器に移送される。
【０００４】
【発明が解決しようとする課題】
上記従来のアンモニア水溶液を加熱する加熱部（再生部）の構造によると、加熱用容器部５２内に配置されたガス通路部５４からの熱は、加熱用容器部５２内のアンモニア水溶液に対して均等に伝わらないとともに、精留塔５１内に供給された濃アンモニア水溶液がアンモニアが蒸発した後の稀アンモニア水溶液に混じるような構造であるため、再生効率が良好でないとともに、精留塔５１の底部から取り出される稀アンモニア水溶液の濃度が一定でないという問題があった。
【０００５】
そこで、本発明は、再生部における再生効率の向上を図り得るとともに、再生部から取り出される稀アンモニア水溶液の濃度をできるだけ均一にし得るアンモニア吸収式冷凍機における再生部構造を提供することを目的とする。
【０００６】
【課題を解決するための手段】
上記課題を解決するため、本発明のアンモニア吸収式冷凍機における再生部構造は、アンモニア吸収式冷凍機におけるアンモニアを蒸留する精留塔の容器本体の下部に、アンモニア水溶液からアンモニアを分離するための気液分離用空間を形成するとともに、その底部に、所定高さの仕切壁を設けて、第１貯溜室と第２貯溜室とを形成し、上記第１貯溜室内のアンモニア水溶液を取出用配管を介して導き加熱する加熱装置を設け、この加熱装置で加熱された加熱アンモニア水溶液を上記容器本体内の第２貯溜室の上方部の気液分離用空間に供給するための供給用配管を設け、かつ上記容器本体内に、上記供給用配管を介して気液分離用空間内に供給された加熱アンモニア水溶液を下方の第２貯溜室内に導くためのバッフル板を設け、上記第２貯溜室内のアンモニア水溶液を吸収器に移送する移送用配管を設けたものである。
【０００７】
また、上記構成の再生部構造において、仕切壁に、第１貯溜室内と第２貯溜室内とを連通する連通穴を形成したものである。
さらに、上記各構成の再生部構造において、仕切壁とバッフル板とを一体化させたものである。
【０００８】
上記の構成によると、精留塔内に供給落下された濃アンモニア水溶液は、第１貯溜室内に溜り、一方、第１貯溜室内の濃アンモニア水溶液が加熱装置で加熱されてアンモニア蒸気が分離された稀アンモニア水溶液は、バッフル板により、第２貯溜室内に貯められるため、濃アンモニア水溶液と稀アンモニア水溶液とが、従来のように、多く混じり合うことはない。
【０００９】
【発明の実施の形態】
以下、本発明のアンモニア吸収式冷凍機における再生部構造の実施の形態を、図１および図２に基づき説明する。
【００１０】
図１において、１はアンモニア吸収式冷凍機におけるアンモニアの精留塔で、その竪型で円筒状の容器本体２の下部にはアンモニアを分離するための気液分離用空間３が形成されるとともに、上部には充填材４が配置されている。
【００１１】
上記容器本体２の底部内には、所定高さの仕切壁５が設けられて、第１貯溜室６と第２貯溜室７とが形成されている。
そして、上記第１貯溜室６内のアンモニア水溶液を取出用配管８を介して導き飽和温度以上に加熱する加熱装置（リボイラともいう）９が設けられるとともに、この加熱装置９で加熱された加熱アンモニア水溶液を容器本体２の第２貯溜室７の気液分離用空間３に供給するための供給用配管１０が設けられている。
【００１２】
さらに、上記容器本体２内で、供給用配管１０が接続された開口部１１に対応する位置には、その開口部１１から容器本体２内に供給された（吹き出された）加熱アンモニア水溶液を、強制的に下方の第２貯溜室７内に導くためのバッフル板１２が設けられている。
【００１３】
このバッフル板１２は、容器本体２の側壁部２ａから斜め下方に突設された傾斜部１２ａと、この傾斜部１２ａ先端から下方に垂下された垂下部１２ｂとから構成され、またこのバッフル板１２の幅は、容器本体２の側壁部２ａとの間に、アンモニア飽和蒸気が上方に移動し得る連通空間部が形成され得るような、比較的狭く（例えば、容器本体の直径の１／２〜２／３程度）されている。
【００１４】
また、図２に示すように、バッフル板１２の両端面と容器本体２の側壁部２ａとの間の連通空間部には、トレイ部材１３が複数個並列に配置されて、連通空間部に落下してくる上方からの濃アンモニア水溶液が、第２貯溜室７内の稀アンモニア水溶液に入るのをできるだけ防止するようされている。勿論、このトレイ部材１３も、傾斜されるとともにＶ字状に形成されたトレイ部１３ａと、垂直部１３ｂとから構成されている。
【００１５】
また、上記第２貯溜室７内に溜った濃度が薄い稀アンモニア水溶液は、移送用配管１３を介して、吸収器（図示せず）に移送される。
さらに、上記仕切壁５の下部には、両貯溜室６，７同士を連通させて、両貯溜室６，７内の液面の自動調整を行うために、連通穴５ａが形成されている。
【００１６】
したがって、上記構成において、吸収器にてアンモニアを吸収してアンモニア濃度が濃くなった濃アンモニア水溶液は、精留塔１の供給部から容器本体２内に供給され、容器本体２内を落下して第１貯溜部６に溜められる。
【００１７】
この第１貯溜室６に溜ったアンモニア水溶液は、取出用配管８を介して加熱装置９に送られ、ここで飽和温度以上に加熱された後、供給用配管１０を介して、容器本体２の開口部１１から気液分離用空間３内に吹き出される。
【００１８】
容器本体２内に吹き出された蒸気混じりの加熱アンモニア水溶液は、バッフル板１２に衝突して、その方向が下方に強制的に変えられ、その液分は下方の第２貯溜部７に落下し、また蒸気分については、バッフル板１２の側方の連通空間部から上方の充填材４側に移動する。なお、連通空間部に落下してくる濃アンモニア水溶液の殆どは、トレイ部材１３のトレイ部１３ａにより、第１貯溜室６側に導かれる。
【００１９】
また、上記第２貯溜室７に溜った液分は、移送用配管１３を介して、吸収器に移送される。
このように、容器本体２内の下部を仕切壁５により仕切り、容器本体２内に供給された吸収器からの濃アンモニア水溶液と、加熱装置９により加熱されて蒸気が分離された稀アンモニア水溶液とを別個の貯溜室６，７に貯溜するようにしたので、容器本体２の再生部から取り出される稀アンモニア水溶液の濃度を一定に維持できる。すなわち、再生効率を向上させることができる。
【００２０】
ところで、上記実施の形態においては、バッフル板と仕切壁とを別々に設けたが、例えば図３に示すように、バッフル板と仕切壁とを一体化した、仕切部材２１を、容器本体２内の下部に設けてもよい。
【００２１】
また、図４および図５に示すように、バッフル板と仕切壁とを一体化した仕切部材３１を下端部から上方に立設して、その上端部を容器本体２の側壁部２ａに対して隙間ａを有するように構成してもよい。なお、図４に、仕切部材３１の斜視図を示しておくが、両貯溜室を仕切る仕切部３２よりも上方の部分は、上記実施の形態にて説明したように、所定の幅とされ、その両側にはアンモニア蒸気を上方に移動させるための連通空間部３３が形成される。
【００２２】
なお、図示しないが、この連通空間部３３および図３にて説明したものについても、図２に示したような、濃アンモニア水溶液が第２貯溜室７側の稀アンモニア水溶液内に落下するのを防止し得るトレイ部材が設けられる。
【００２３】
また、上記各説明においては、バッフル板の両側にトレイ部材を設けるように説明したが、例えばバッフル板の幅を広げるとともに、このバッフル板の傾斜部自体の両側部に、Ｖ字状のトレイ部を設けるような構成であってもよい。
【００２４】
【発明の効果】
以上のように本発明の構成によると、精留塔の下部内に第１および第２貯溜室を形成し、この第１貯溜室から濃アンモニア水溶液を導き加熱して容器本体内に戻すとともにバッフル板を介して第２貯溜室内に落下させ、この第２貯溜室内の稀アンモニア水溶液を吸収器に移送させるようにしたので、従来のように、精留塔内に落下された濃アンモニア水溶液が稀アンモニア水溶液に混じるのを防止でき、したがって一定の濃度の稀アンモニア水溶液を取り出すことができ、ひいては再生効率を向上させることができる。
【図面の簡単な説明】
【図１】本発明の実施の形態におけるアンモニア吸収式冷凍機における再生部構造の要部を示す断面図である。
【図２】図１のＡ−Ａ矢視図である。
【図３】本発明の他の実施の形態における再生部構造の要部を概略的に示す断面図である。
【図４】本発明の他の実施の形態における再生部構造の要部を概略的に示す断面図である。
【図５】図４に示す再生部構造における仕切部材の斜視図である。
【図６】従来例におけるアンモニア吸収式冷凍機における加熱部の断面図である。
【符号の説明】
１      精留器
２      容器本体
３      気液分離用空間
５      仕切壁
５ａ    連通穴
６      第１貯溜室
７      第２貯溜室
８      取出用配管
９      加熱装置
１０      供給用配管
１２      バッフル板
１２ａ    傾斜部
１２ｂ    垂下部
１３      移送用配管
【図１】
0003824373.tif 000002
【図２】
0003824373.tif 000003
【図３】
0003824373.tif 000004
【図４】
0003824373.tif 000005
【図５】
0003824373.tif 000006
【図６】
0003824373.tif 000007